(57)【特許請求の範囲】
【請求項１】
基地局装置であって、
端末装置に第１の隣接セル情報又は第２の隣接セル情報を送信する送信部を備え、
前記第１の隣接セル情報及び前記第２の隣接セル情報は隣接セルからの干渉を軽減するために前記端末装置によって使用される情報であり、
前記第１の隣接セル情報は、セルに関する情報である第１の支援情報を１又は複数含み、
前記第２の隣接セル情報は、セルに関する情報である第２の支援情報を１又は複数含み、
前記第１の支援情報は、物理セルＩＤに関する情報、セル固有参照信号（ＣＲＳ）のアンテナポート数に関する情報、及び、ＭＢＳＦＮサブフレームに関する情報を含み、
前記第２の支援情報は、少なくとも物理セルＩＤに関する情報及びＣＲＳのアンテナポート数に関する情報を含み、
前記第１の支援情報に基づく干渉軽減と前記第２の支援情報に基づく干渉軽減は、前記端末装置の異なる能力であり、
前記送信部は、上位層で前記第１の支援情報を設定していない場合に前記第２の支援情報を含む前記第２の隣接セル情報を送信する、
基地局装置。
【請求項２】
基地局装置における方法であって、
端末装置に第１の隣接セル情報又は第２の隣接セル情報を送信する送信ステップを有し、
前記第１の隣接セル情報及び前記第２の隣接セル情報は隣接セルからの干渉を軽減するために前記端末装置によって使用される情報であり、
前記第１の隣接セル情報は、セルに関する情報である第１の支援情報を１又は複数含み、
前記第２の隣接セル情報は、セルに関する情報である第２の支援情報を１又は複数含み、
前記第１の支援情報は、物理セルＩＤに関する情報、セル固有参照信号（ＣＲＳ）のアンテナポート数に関する情報、及び、ＭＢＳＦＮサブフレームに関する情報を含み、
前記第２の支援情報は、少なくとも物理セルＩＤに関する情報及びＣＲＳのアンテナポート数に関する情報を含み、
前記第１の支援情報に基づく干渉軽減と前記第２の支援情報に基づく干渉軽減は、前記端末装置の異なる能力であり、
前記送信ステップは、上位層で前記第１の支援情報を設定していない場合に前記第２の支援情報を含む前記第２の隣接セル情報を送信する、
方法。
【請求項３】
端末装置であって、
基地局装置から第１の隣接セル情報又は第２の隣接セル情報を受信する受信部を備え、
前記第１の隣接セル情報及び前記第２の隣接セル情報は隣接セルからの干渉を軽減するために使用する情報であり、
前記第１の隣接セル情報は、セルに関する情報である第１の支援情報を１又は複数含み、
前記第２の隣接セル情報は、セルに関する情報である第２の支援情報を１又は複数含み、
前記第１の支援情報は、物理セルＩＤに関する情報、セル固有参照信号（ＣＲＳ）のアンテナポート数に関する情報、及び、ＭＢＳＦＮサブフレームに関する情報を含み、
前記第２の支援情報は、少なくとも物理セルＩＤに関する情報及びセル固有参照信号（ＣＲＳ）のアンテナポート数に関する情報を含み、
前記第１の支援情報に基づく干渉軽減と前記第２の支援情報に基づく干渉軽減は、前記端末装置の異なる能力であり、
前記受信部は、上位層で前記第１の支援情報を設定されていない場合に前記第２の支援情報を含む前記第２の隣接セル情報を受信する、
端末装置。
【請求項４】
端末装置における方法であって、
基地局装置から第１の隣接セル情報又は第２の隣接セル情報を受信する受信ステップと、を有し、
前記第１の隣接セル情報及び前記第２の隣接セル情報は隣接セルからの干渉を軽減するために端末装置によって使用される情報であり、
前記第１の隣接セル情報は、セルに関する情報である第１の支援情報を１又は複数含み、
前記第２の隣接セル情報は、セルに関する情報である第２の支援情報を１又は複数含み、
前記第１の支援情報は、物理セルＩＤに関する情報、セル固有参照信号（ＣＲＳ）のアンテナポート数に関する情報、及び、ＭＢＳＦＮサブフレームに関する情報を含み、
前記第２の支援情報は、少なくとも物理セルＩＤに関する情報及びセル固有参照信号（ＣＲＳ）のアンテナポート数に関する情報を含み、
前記第１の支援情報に基づく干渉軽減と前記第２の支援情報に基づく干渉軽減は、前記端末装置の異なる能力であり、
前記受信ステップは、上位層で前記第１の支援情報を設定されていない場合に前記第２の支援情報を含む前記第２の隣接セル情報を受信する、
方法。
【発明の詳細な説明】
【技術分野】
【０００１】
本発明は、端末装置および集積回路に関する。
【背景技術】
【０００２】
３ＧＰＰ（Third Generation Partnership Project）によるＷＣＤＭＡ（登録商標）（Wideband Code Division Multiple Access）、ＬＴＥ（Long Term Evolution）、ＬＴＥ−Ａ（LTE-Advanced）やＷｉＭＡＸ（Worldwide Interoperability for Microwave Access）のような通信システムでは、基地局装置（基地局、送信局、送信点、下りリンク送信装置、上りリンク受信装置、送信アンテナ群、送信アンテナポート群、コンポーネントキャリア、eNodeB）或いは基地局装置に準じる送信局がカバーするエリアをセル（Cell）状に複数配置するセルラ構成とすることにより、通信エリアを拡大することができる。このセルラ構成において、隣接するセルまたはセクタ間で同一周波数を利用することで、周波数利用効率を向上させることができる。【０００３】
しかし、このようなセルラ構成では、セル端（セルエッジ）領域またはセクタ端領域にいる端末装置（移動局装置、受信局、受信点、上りリンク送信装置、下りリンク受信装置、移動端末、受信アンテナ群、受信アンテナポート群、UE: User Equipment）は、他セルや他セクタを構成する基地局装置の送信信号により干渉を受けるため（セル間干渉、セクタ間干渉）、周波数利用効率が低くなるという問題がある。【０００４】
セル間干渉、セクタ間干渉のための対策として、端末装置の受信能力の高度化（Advanced Receiver）がある。例えば、非特許文献１では、高度な受信機として、ＭＭＳＥ−ＩＲＣ受信機（Minimum Mean Square Error-Interference Rejection Combining）、干渉キャンセル受信機（Interference cancellation Receiver）、干渉抑圧受信機（Interference Suppression Receiver）、ＭＬＤ受信機（Maximal Likelihood Detection Receiver）などが示されている。これにより、セル間干渉等による制限を緩和できるため、周波数利用効率の改善を図ることができる。【０００５】
前記通信システムでは、効率的なデータ伝送を実現するため、空間多重伝送（MIMO：Multi Input Multi Output）が適用される。前記高度な受信機は、空間多重伝送において発生するストリーム間干渉（レイヤ間干渉、アンテナ間干渉）の抑圧のために用いることで、周波数利用効率の改善を図ることができる。
【先行技術文献】
【非特許文献】
【０００６】
【非特許文献１】“Ｓｔｕｄｙ  ｏｎ  Ｎｅｔｗｏｒｋ  Ａｓｓｉｓｔｅｄ  Ｉｎｔｅｒｆｅｒｅｎｃｅ  Ｃａｎｃｅｌｌａｔｉｏｎ  ａｎｄ  Ｓｕｐｐｒｅｓｓｉｏｎ  ｆｏｒ  ＬＴＥ，”  ３ＧＰＰ  ＴＳＧ  ＲＡＮ  Ｍｅｅｔｉｎｇ  ＃５９，ＲＰ−１３０４０４，２０１３年  ３月。
【発明の概要】
【発明が解決しようとする課題】
【０００７】
前記高度な受信機は、干渉を軽減するために、干渉信号に関する知識や情報（例えば、復調のためのパラメータ）が必要になる。しかしながら、基地局装置が端末装置に対して、干渉信号に関する知識や情報を送信することは、シグナリングのオーバーヘッドが増加するという問題がある。また、基地局装置が端末装置に対して、干渉信号に関する知識や情報が少なければ、端末装置側で干渉信号の情報を推定する必要があり、端末装置の演算量が増加するという問題がある。【０００８】
本発明は、このような事情を鑑みてなされたものであり、その目的は、効果的な干渉信号の知識や情報によって、干渉を軽減することができる基地局装置、端末装置および集積回路を提供することにある。
【課題を解決するための手段】
【０００９】
上述した課題を解決するために本発明に係る端末装置および集積回路の構成は、次の通りである。【００１０】
本発明の端末装置は、基地局装置と通信する端末装置であって、セル固有参照信号からの干渉を低減するために前記端末装置に用いられる第１の干渉情報、および／または、少なくとも下りリンク共有チャネルからの干渉を低減するために前記端末装置に用いられる第２の干渉情報を、前記基地局装置から設定される上位層と、前記第１の干渉情報に基づいて前記セル固有参照信号からの干渉を低減し、前記第２の干渉情報に基づいて少なくとも前記下りリンク共有チャネルからの干渉を低減する信号検出部とを備える。【００１１】
また本発明の端末装置であって、前記信号検出部は、前記第１の干渉情報のみが設定される場合、前記セル固有参照信号からの干渉のみを低減し、前記第１の干渉情報および前記第２の干渉情報が設定される場合、前記セル固有参照信号からの干渉および前記下りリンク共有チャネルからの干渉を低減する。【００１２】
また本発明の端末装置であって、前記信号検出部は、前記第１の干渉情報が設定される場合、前記セル固有参照信号からの干渉のみを低減し、前記第２の干渉情報が設定される場合、前記セル固有参照信号からの干渉および前記下りリンク共有チャネルからの干渉を低減する。【００１３】
また本発明の端末装置に実装される集積回路であって、セル固有参照信号からの干渉を低減するために前記端末装置に用いられる第１の干渉情報、および／または、少なくとも下りリンク共有チャネルからの干渉を低減するために前記端末装置に用いられる第２の干渉情報を、前記基地局装置から設定される手段と、前記第１の干渉情報に基づいて前記セル固有参照信号からの干渉を低減し、前記第２の干渉情報に基づいて少なくとも前記下りリンク共有チャネルからの干渉を低減する信号検出手段とを備える。
【発明の効果】
【００１４】
本発明によれば、干渉信号が到来する無線環境において、干渉を効果的に軽減することができるようになる。
【図面の簡単な説明】
【００１５】
【図１】本実施形態に係る通信システムの例を示す図である。
【図２】本実施形態に係る基地局装置の構成例を示すブロック図である。
【図３】本実施形態に係る端末装置の構成例を示すブロック図である。
【発明を実施するための形態】
【００１６】
本実施形態における通信システムは、基地局装置（送信装置、セル、送信点、送信アンテナ群、送信アンテナポート群、コンポーネントキャリア、eNodeB）および端末装置（端末、移動端末、受信点、受信端末、受信装置、受信アンテナ群、受信アンテナポート群、UE）を備える。
【００１７】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００１８】
図１は、本実施形態に係る通信システムの例を示す図である。図１に示すように、本実施形態における通信システムは、基地局装置１Ａ、１Ｂ、端末装置２Ａ、２Ｂ、２Ｃを備える。また、カバレッジ１−１は、基地局装置１Ａが端末装置と接続可能な範囲（通信エリア）である。またカバレッジ１−２は、基地局装置１Ｂが端末装置と接続可能な範囲（通信エリア）である。以下では、端末装置２Ａ、２Ｂを端末装置２とも記載する。
【００１９】
図１において、基地局装置１Ａが端末装置２Ａと端末装置２Ｂとを空間多重する場合や、端末装置２が基地局装置１Ｂからセル間干渉を受ける場合、端末装置２における受信信号は、自端末装置（第１の端末装置とも称する）宛の所望信号と、干渉となる端末装置（第２の端末装置とも称する）宛の信号とが含まれる。具体的には、端末装置２Ａにおける受信信号は、基地局装置１Ａから送信された自端末装置宛の所望信号と端末装置２Ｂ宛の信号および基地局装置１Ｂから送信された端末装置２Ｃ宛の信号である干渉信号とが含まれる。また、端末装置２Ｂにおける受信信号は、基地局装置１Ａから送信された自端末装置宛の所望信号と端末装置２Ａ宛の信号および基地局装置１Ｂから送信された端末装置２Ｃ宛の信号である干渉信号とが含まれる。
【００２０】
このように、本実施形態では、基地局装置が複数の端末装置を空間多重することによって、端末装置がユーザ間干渉を受ける場合や他の基地局装置からセル間干渉を受ける場合であれば良く、図１の通信システムに限定されない。また、ユーザ間干渉とセル間干渉は同時に受ける必要はなく、ユーザ間干渉のみを受ける場合やセル間干渉のみを受ける場合のどちらも本発明に含まれる。
【００２１】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２２】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ACK/NACK）を含む。下りリンクデータに対するＡＣＫ／ＮＡＣＫを、ＨＡＲＱ−ＡＣＫ、ＨＡＲＱフィードバックとも称する。
【００２３】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００２４】
前記チャネル品質指標ＣＱＩは（以下、CQI値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率により定められたインデックス（CQI Index）とすることができる。前記ＣＱＩ値は、予め当該システムで定めたものをすることができる。
【００２５】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００２６】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００２７】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００２８】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００２９】
ＰＲＡＣＨは、ランダムアクセスプリアンブルを送信するために用いられる。
【００３０】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３１】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。
【００３２】
図１において、基地局装置１Ａから端末装置２への下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００３３】
ＰＢＣＨは、端末装置２で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、OFDMシンボルの数）を指示する情報を送信するために用いられる。
【００３４】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（HARQフィードバック）を送信するために用いられる。また、ＡＣＫ／ＮＡＣＫは、ＨＡＲＱ−ＡＣＫとも呼称する。端末装置２は、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２はＡＣＫを上位レイヤに通知する。
【００３５】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３６】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００３７】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００３８】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００３９】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００４０】
また、上りリンクに対するＤＣＩフォーマットは、下りリンクのチャネル状態情報（CSI: Channel State Information。受信品質情報とも称する。）を要求（CSI request）するために用いることができる。チャネル状態情報は、好適な空間多重数を指定するランク指標ＲＩ（Rank Indicator）、好適なプレコーダを指定するプレコーディング行列指標ＰＭＩ（Precoding Matrix Indicator）、好適な伝送レートを指定するチャネル品質指標ＣＱＩ（Channel Quality Indicator）などが該当する。
【００４１】
また、上りリンクに対するＤＣＩフォーマットは、端末装置が基地局装置にフィードバックするチャネル状態情報報告（CSI feedback report）をマップする上りリンクリソースを示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００４２】
例えば、チャネル状態情報報告は、不定期なチャネル状態情報（Aperiodic CSI）を報告する上りリンクリソースを示す設定のために用いることができる。チャネル状態情報報告は、不定期的にチャネル状態情報を報告するモード設定（CSI report mode）のために用いることができる。基地局装置１００−１、１００−２は、前記定期的なチャネル状態情報報告または前記不定期的なチャネル状態情報報告のいずれかを設定することができる。また、基地局装置１００−１、１００−２は、前記定期的なチャネル状態情報報告および前記不定期的なチャネル状態情報報告の両方を設定することもできる。
【００４３】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えば、Wideband CQI）と狭帯域ＣＳＩ（例えば、Subband CQI）などがある。
【００４４】
また、前記上りリンクに対するＤＣＩフォーマットにおいて、前記定期的なチャネル状態情報報告または前記不定期的なチャネル状態情報報告と前記チャネル状態情報報告の種類を含めたモード設定のために用いることができる。例えば、不定期的なチャネル状態情報報告かつ広帯域ＣＳＩを報告するモード、不定期的なチャネル状態情報報告かつ狭帯域ＣＳＩを報告するモード、不定期的なチャネル状態情報報告かつ広帯域ＣＳＩおよび狭帯域ＣＳＩを報告するモード、定期的なチャネル状態情報報告かつ広帯域ＣＳＩを報告するモード、定期的なチャネル状態情報報告かつ狭帯域ＣＳＩを報告するモード、定期的なチャネル状態情報報告かつ広帯域ＣＳＩおよび狭帯域ＣＳＩを報告するモードなどがある。
【００４５】
端末装置２は、下りリンクアサインメントを用いてＰＤＳＣＨのリソースがスケジュールされた場合、スケジュールされたＰＤＳＣＨで下りリンクデータを受信する。また、端末装置２は、上りリンクグラントを用いてＰＵＳＣＨのリソースがスケジュールされた場合、スケジュールされたＰＵＳＣＨで上りリンクデータおよび／または上りリンク制御情報を送信する。
【００４６】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４７】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４８】
また、ＰＤＳＣＨは、ＲＲＣメッセージを送信するために用いられる。ここで、基地局装置１Ａから送信されるＲＲＣメッセージは、セル内における複数の端末装置２に対して共通であっても良い。また、基地局装置１Ａから送信されるＲＲＣメッセージは、ある端末装置２に対して専用のメッセージ（dedicated signalingとも称する）であっても良い。すなわち、ユーザ装置スペシフィック（ユーザ装置固有）な情報は、ある端末装置２に対して専用のメッセージを使用して送信される。また、ＰＤＳＣＨは、ＭＡＣ  ＣＥを送信するために用いられる。
【００４９】
ここで、ＲＲＣメッセージおよび／またはＭＡＣ  ＣＥを、上位層の信号（higher layer signaling）とも称する。
【００５０】
また、ＰＤＳＣＨは、下りリンクのチャネル状態情報を要求するために用いることができる。また、ＰＤＳＣＨは、端末装置が基地局装置にフィードバックするチャネル状態情報報告（CSI feedback report）をマップする上りリンクリソースを送信するために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５１】
下りリンクのチャネル状態情報報告の種類は広帯域ＣＳＩ（例えば、Wideband CSI）と狭帯域ＣＳＩ（例えば、Subband CSI）がある。広帯域ＣＳＩは、セルのシステム帯域に対して１つのチャネル状態情報を算出する。狭帯域ＣＳＩは、システム帯域を所定の単位に区分し、その区分に対して１つのチャネル状態情報を算出する。
【００５２】
また、下りリンクの無線通信では、下りリンク物理信号として同期信号（Synchronization Signal: SS）、下りリンク参照信号（Downlink Reference Signal: DL RS）が用いられる。下りリンク物理信号は、上位層から出力された情報を送信するためには使用されないが、物理層によって使用される。
【００５３】
同期信号は、端末装置２が、下りリンクの周波数領域および時間領域の同期を取るために用いられる。また、下りリンク参照信号は、端末装置２が、下りリンク物理チャネルの伝搬路補正を行なうために用いられる。例えば、下りリンク参照信号は、端末装置２が、下りリンクのチャネル状態情報を算出するために用いられる。
【００５４】
ここで、下りリンク参照信号には、ＣＲＳ（Cell-specific Reference Signal；セル固有参照信号）、ＰＤＳＣＨに関連するＵＲＳ（UE-specific Reference Signal；端末固有参照信号）、ＥＰＤＣＣＨに関連するＤＭＲＳ（Demodulation Reference Signal）、ＮＺＰ  ＣＳＩ−ＲＳ（Non-Zero Power Chanel State Information-Reference Signal）、ＺＰ  ＣＳＩ−ＲＳ（Zero Power Chanel State Information-Reference Signal）が含まれる。
【００５５】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５６】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５７】
ＮＺＰ  ＣＳＩ−ＲＳのリソースは、基地局装置１Ａによって設定される。例えば、端末装置２は、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２は、ＮＺＰ  ＣＳＩ−ＲＳが対応するリソースにおいて干渉の測定を行なう。
【００５８】
ＺＰ  ＣＳＩ−ＲＳのリソースは、基地局装置１Ａ、が設定する。基地局装置１Ｂは、ＺＰ  ＣＳＩ−ＲＳをゼロ出力で送信する。つまり、基地局装置１Ａは、ＺＰ  ＣＳＩ−ＲＳを送信しない。基地局装置１Ｂは、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが対応するリソースにおいて、端末装置２Ｃは、干渉を測定することができる。
【００５９】
ＭＢＳＦＮ（Multimedia Broadcast multicast service Single Frequency Network）  ＲＳは、ＰＭＣＨの送信に用いられるサブフレームの全帯域で送信される。ＭＢＳＦＮ  ＲＳは、ＰＭＣＨの復調を行なうために用いられる。ＰＭＣＨは、ＭＢＳＦＮ  ＲＳの送信に用いられるアンテナポートで送信される。
【００６０】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００６１】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００６２】
端末装置は、ユーザ間干渉やセル間干渉を除去または抑圧する機能を備えることができる。このような技術は、３ＧＰＰ（3rd Generation Partnership Project）でＮＡＩＣＳ（Network Assisted Interference Cancellation and Suppression）として検討されている。ＮＡＩＣＳでは、基地局装置は、端末装置が干渉信号のハンドリング、除去または抑圧のために用いるＮＡＩＣＳアシスト情報（第２の支援情報とも呼ぶ）を送信する。端末装置はＮＡＩＣＳアシスト情報を受信し、ＮＡＩＣＳアシスト情報に基づいて、干渉信号の除去または抑圧するためのパラメータを検出し、前記パラメータを用いて干渉信号を除去または抑圧する。ＮＡＩＣＳアシスト情報には、セルＩＤ、ＣＲＳアンテナポート数、ＭＢＳＦＮサブフレームパターン、ＰＢ、仮想セルＩＤ（virtual cell ID）、スクランブリングアイデンティティ（nSCID）、ＰＡ、送信モード、ＱＣＬ情報（quasi co-location information）、ＺＰ／ＮＺＰ  ＣＳＩ−ＲＳ構成、ＰＤＳＣＨスタート位置（PDSCH starting position）、ＴＤＤ  ＵＬ／ＤＬ  構成、プリコーディング行列指標／ランク指標、変調方式、リソース割当て情報の一部または全てが含まれる。
【００６３】
なお、ＰＡは、ＣＲＳが配置されていないＯＦＤＭシンボルにおけるＰＤＳＣＨとＣＲＳの電力比である。ＰＢは、ＣＲＳが配置されているＯＦＤＭシンボルにおけるＰＤＳＣＨとＣＲＳが配置されていないＯＦＤＭシンボルにおけるＰＤＳＣＨの電力比を表す。ＱＣＬ情報は、所定のアンテナポート、所定の信号、または所定のチャネルに対するＱＣＬに関する情報である。２つのアンテナポートにおいて、一方のアンテナポート上のシンボルが搬送されるチャネルの長区間特性が、もう一方のアンテナポート上のシンボルが搬送されるチャネルから推測できる場合、それらのアンテナポートはＱＣＬであると呼称される。長区間特性は、遅延スプレッド、ドップラースプレッド、ドップラーシフト、平均利得および／または平均遅延を含む。すなわち、２つのアンテナポートがＱＣＬである場合、端末装置はそれらのアンテナポートにおける長区間特性が同じであると見なすことができる。
【００６４】
なお、上記のＮＡＩＣＳアシスト情報に含まれるパラメータの各々は、１つの値（候補）が設定されても良いし、複数の値（候補）が設定されても良い。複数の値が設定される場合は、端末装置は、そのパラメータについては、干渉となる基地局装置が設定する可能性のある値が示されていると解釈し、複数の値から干渉信号に設定されているパラメータを検出する。また、上記ＮＡＩＣＳアシスト情報は、他の基地局装置の情報を示す場合もあるし、自らの基地局装置の情報を示す場合もある。
【００６５】
なお、上記のＮＡＩＣＳアシスト情報は、端末装置に対するＰＤＳＣＨを復調する時に、他の端末装置に対するＰＤＳＣＨからの干渉をハンドリング、除去または抑圧のために、その端末装置によって用いられる。そのため、ＮＡＩＣＳアシスト情報は、ＰＤＳＣＨ干渉アシスト情報またはＰＤＳＣＨアシスト情報とも呼称される。ＮＡＩＣＳアシスト情報は、他の端末装置に対するＰＤＳＣＨのリソースエレメントに対するマッピングに関する情報を少なくとも含む。ＮＡＩＣＳアシスト情報は、様々な測定を行なう時に用いられても良い。測定は、ＲＲＭ（Radio Resource Management）測定、ＲＬＭ（Radio Link Monitoring）測定、ＣＳＩ（Channel State Information）測定を含む。
【００６６】
端末装置は、設定されたＮＡＩＣＳアシスト情報に基づいて、ＰＤＳＣＨ干渉を検出（特定）し、検出されたＰＤＳＣＨ干渉を低減する。ＮＡＩＣＳアシスト情報は、更新頻度が比較的長い準静的な制御情報を含め、更新頻度が比較的短い動的な制御情報を含めないようにしても良い。準静的な制御情報は、セルＩＤ、ＣＲＳアンテナポート数、ＭＢＳＦＮサブフレームパターン、ＰＢ、仮想セルＩＤ（virtual cell ID）、スクランブリングアイデンティティ（nSCID）、ＰＡ、送信モード、ＱＣＬ情報（quasi co-location information）、ＺＰ／ＮＺＰ  ＣＳＩ−ＲＳ構成、ＰＤＳＣＨスタート位置（PDSCH starting position）、ＴＤＤ  ＵＬ／ＤＬ  構成などを含む。動的な制御情報は、プリコーディング行列指標／ランク指標、変調方式、リソース割当て情報などを含む。また、既に説明したように、ＮＡＩＣＳアシスト情報に含まれるパラメータの各々は、複数の値（候補）が設定されても良い。そのため、ＮＡＩＣＳアシスト情報は、複数のＰＤＳＣＨ干渉の候補を示すための情報と見なすことができる。端末装置は、ＮＡＩＣＳアシスト情報に基づいて認識できるＰＤＳＣＨ干渉の候補に対して、順に検出を試みるブラインド検出を行なうことができる。
【００６７】
これにより、端末装置は、ＮＡＩＣＳアシスト情報から検出したパラメータに基づいて、他の端末装置に対するＰＤＳＣＨによる干渉を低減できるため、自端末装置宛の信号を精度良く得ることができる。また、ＮＡＩＣＳアシスト情報は複数の候補を示すため、基地局装置のスケジューリングに与える影響は低くすることができる。なお、端末装置は、アシスト情報として受信しなかったパラメータをブラインド検出すると呼称されても良い。干渉信号の除去または抑圧は、線形検出、非線形検出を行なうことができる。線形検出は、自端末装置宛の所望信号のチャネルと他端末装置宛の干渉信号のチャネルを考慮して検出することができる。このような線形検出はＥＬＭＭＳＥ−ＩＲＣ（Enhanced Linear Minimum Mean Square Error-Interference Rejection Combining）とも呼ばれる。また、非線形検出としては、干渉キャンセラや最尤検出をすることができる。
【００６８】
基地局装置は、ＮＡＩＣＳアシスト情報を、ＮＡＩＣＳアシスト情報リストとしてリスト化されて送信することができる。ＮＡＩＣＳアシスト情報リストには少なくとも１つのＮＡＩＣＳアシスト情報を含めることができる。また、ＮＡＩＣＳアシスト情報リストは、隣接セルＮＡＩＣＳ情報（第２の干渉情報とも呼ぶ）として送信することができる。なお、ＮＡＩＣＳアシスト情報リストは、ＰＤＳＣＨアシスト情報リストと呼称しても良い。また、隣接セルＮＡＩＣＳ情報は、隣接セルＰＤＳＣＨ情報と呼称しても良い。
【００６９】
端末装置は、他の基地局装置から送信されるＣＲＳが干渉となる場合に、基地局装置から上位層の信号で送信されるＣＲＳアシスト情報（第１の支援情報とも呼ぶ）を用いて、他基地局装置のＣＲＳから受ける干渉を軽減することができる。ＣＲＳアシスト情報は、他の基地局装置の情報であり、セルＩＤ、ＣＲＳのアンテナポート数、ＭＢＳＦＮサブフレーム設定リストを含む。
【００７０】
また、ＣＲＳアシスト情報は、ＣＲＳアシスト情報リストによってリスト化されて送信される。ＣＲＳアシスト情報リストには、少なくとも１つのＣＲＳアシスト情報が含まれる。また、ＣＲＳアシスト情報リストは、隣接セルＣＲＳ情報（第１の干渉情報とも呼ぶ）として送信される。
【００７１】
図２は、本実施形態における基地局装置１Ａの構成を示す概略ブロック図である。図２に示すように、基地局装置１Ａは、上位層処理部１０１、制御部１０２、送信部１０３、受信部１０４と送受信アンテナ１０５を含んで構成される。また、上位層処理部１０１は、無線リソース制御部１０１１、スケジューリング部１０１２を含んで構成される。また、送信部１０３は、符号化部１０３１、変調部１０３２、下りリンク参照信号生成部１０３３、多重部１０３４、無線送信部１０３５を含んで構成される。また、受信部１０４は、無線受信部１０４１、多重分離部１０４２、復調部１０４３、復号部１０４４を含んで構成される。
【００７２】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７３】
上位層処理部１０１は、ＮＡＩＣＳアシスト情報を設定するか否か、ＣＲＳアシスト情報を設定するか否かを判断する。
【００７４】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、または上位ノードから取得する。無線リソース制御部１０１１は、下りリンクデータを送信部１０３に出力し、他の情報を制御部１０２に出力する。また、無線リソース制御部１０１１は、端末装置２の各種設定情報の管理をする。この設定情報には、干渉となる端末装置の設定情報を含めることができる。もしくは、自端末装置の設定情報から干渉となる端末装置の設定情報が取得できるようになっている。また、干渉となる基地局装置の設定情報を含めることができる。
【００７５】
基地局装置は、ＮＡＩＣＳおよび／またはＣＲＳ干渉除去を行なう能力を持つ端末装置に対して、ＮＡＩＣＳアシスト情報およびＣＲＳアシスト情報、または、ＮＡＩＣＳアシスト情報を送信することができる。ＮＡＩＣＳアシスト情報やＣＲＳアシスト情報は、下記のような送信方法が考えられる。
【００７６】
上位層で、ＮＡＩＣＳアシスト情報およびＣＲＳアシスト情報が設定されている場合、基地局装置は、ＣＲＳアシスト情報で送信される情報をＮＡＩＣＳアシスト情報に含めないようにして、ＮＡＩＣＳアシスト情報を送信する方法が考えられる。ＣＲＳアシスト情報とＮＡＩＣＳアシスト情報を関連付けるために、ＣＲＳアシスト情報リストに含まれるＣＲＳアシスト情報のインデックスとＮＡＩＣＳアシスト情報リストに含まれるＮＡＩＣＳアシスト情報のインデックスを関連付けることができる。例えば、ＣＲＳアシスト情報リストに、ＣＲＳアシスト情報１とＣＲＳアシスト情報２が含まれており、ＮＡＩＣＳアシスト情報リストに、ＮＡＩＣＳアシスト情報１とＮＡＩＣＳアシスト情報２が含まれている場合、ＮＡＩＣＳアシスト情報１とＣＲＳアシスト情報１、ＮＡＩＣＳアシスト情報２とＣＲＳアシスト情報２が関連付けられる。この場合、端末装置は、ＮＡＩＣＳアシスト情報１およびＣＲＳアシスト情報１に含まれる情報に基づいて、ＰＤＳＣＨの干渉をハンドリングすることができる。なお、ＣＲＳアシスト情報リストに含まれるＣＲＳアシスト情報の数と、ＮＡＩＣＳアシスト情報リストに含まれるＮＡＩＣＳアシスト情報の数は、同じとすることもできるし、異なるようにすることもできる。
【００７７】
また、ＮＡＩＣＳアシスト情報とＣＲＳアシスト情報を関連付けるために、セルＩＤはＣＲＳおよびＮＡＩＣＳアシスト情報に含めることができる。すなわち、端末装置は、ＮＡＩＣＳアシスト情報に含まれるセルＩＤを検出し、このセルＩＤと関連するＣＲＳアシスト情報からＣＲＳに関する情報、つまり、ＣＲＳアンテナポート数、ＭＢＳＦＮサブフレーム設定、を得ることができる。このとき端末装置は、ＮＡＩＣＳアシスト情報およびＣＲＳアシスト情報にもとづいて、ＣＲＳ干渉を除去し、ＰＤＳＣＨの干渉信号をハンドリングすることができる。
【００７８】
ＮＡＩＣＳアシスト情報にＣＲＳアシスト情報が含まれない場合、基地局装置がＣＲＳアシスト情報を送信する場合のみ、ＮＡＩＣＳアシスト情報を送信することができる。すなわち、基地局装置は、隣接セルＣＲＳ情報が設定されている場合にのみ、隣接セルＮＡＩＣＳ情報は設定することができる。もしくは、基地局装置は、隣接セルＮＡＩＣＳ情報が設定されている場合、隣接セルＣＲＳ情報を設定しなければならない（ONにする）。
【００７９】
端末装置は、上位層で設定されるＣＲＳ干渉除去のためのサブフレームパターンやサブフレームセットに基づいて、ＰＤＳＣＨの干渉をハンドリングするサブフレームを判断することができる。
【００８０】
上位層で、ＮＡＩＣＳアシスト情報が設定され、ＣＲＳアシスト情報が設定されない場合、基地局装置は、セルＩＤおよびＣＲＳに関する情報をＮＡＩＣＳアシスト情報に含めて送信する方法が考えられる。端末装置は、上位層の信号で、ＮＡＩＣＳアシスト情報が設定され、ＣＲＳアシスト情報が設定されていない場合、ＮＡＩＣＳアシスト情報に基づいて、ＰＤＳＣＨに関する干渉をハンドリングし、ＮＡＩＣＳアシスト情報に含まれるＣＲＳに関する情報に基づいて、ＣＲＳ干渉の除去を行なうことができる。つまり、ＮＡＩＣＳアシスト情報にＣＲＳに関する情報が含めて送信する方法の場合、基地局装置は、ＮＡＩＣＳアシスト情報を送信する場合には、ＣＲＳアシスト情報は送信しない、また、ＣＲＳアシスト情報を送信する場合は、ＮＡＩＣＳアシスト情報は送信しない、ようにすることができる。すなわち、基地局装置は、隣接セルＣＲＳ情報が設定されていない場合にのみ、隣接セルＮＡＩＣＳ情報を設定することができる。もしくは、基地局装置は、隣接セルＮＡＩＣＳ情報が設定されている場合、隣接セルＣＲＳ情報は設定しない（OFFにする）。
【００８１】
基地局装置は、ＣＲＳアシスト情報に含まれるセルＩＤと、ＮＡＩＣＳアシスト情報に含まれるセルＩＤは、同じものを含めることもできるし、全て異なるものとすることができる。
【００８２】
上位層で、ＣＲＳアシスト情報が設定され、ＮＡＩＣＳアシスト情報が設定されない場合、端末装置は、ＣＲＳアシスト情報に基づいて、ＣＲＳ干渉の除去を行なうことができる。
【００８３】
上位層で、ＮＡＩＣＳアシスト情報およびＣＲＳアシスト情報が設定されている場合、基地局装置は、ＮＡＩＣＳアシスト情報に含まれるセルＩＤとＣＲＳアシスト情報に含まれるセルＩＤが異なるように設定することができる。このとき、端末装置は、ＮＡＩＣＳアシスト情報で設定されているＣＲＳに関する情報に基づいてＣＲＳ干渉およびＰＤＳＣＨの干渉をハンドリングし、ＣＲＳアシスト情報に基づいて、ＮＡＩＣＳアシスト情報に基づいて除去したＣＲＳ干渉に加え、さらに別の基地局装置からのＣＲＳ干渉を除去することができる。
【００８４】
スケジューリング部１０１２は、物理チャネル（PDSCHおよびPUSCH）を割り当てる周波数およびサブフレーム、物理チャネル（PDSCHおよびPUSCH）の符号化率および変調方式（あるいはMCS）および送信電力などを決定する。スケジューリング部１０１２は、決定した情報を制御部１０２に出力する。
【００８５】
スケジューリング部１０１２は、スケジューリング結果に基づき、物理チャネル（PDSCHおよびPUSCH）のスケジューリングに用いられる情報を生成する。スケジューリング部１０１２は、生成した情報を制御部１０２に出力する。本実施形態では、一例として、スケジューリング部１０１２は、端末装置２Ａおよび端末装置２Ｂを同じリソースにスケジューリングする。なお、本実施形態では簡単のため、同じリソースとしたが、異なるリソースにスケジューリングしても良い。なお、基地局装置１Ｂと協調してスケジューリングすることもできる。
【００８６】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８７】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、送受信アンテナ１０５を介して端末装置２に信号を送信する。
【００８８】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、ＱＰＳＫ（quadrature Phase Shift Keying）、１６ＱＡＭ（quadrature amplitude modulation）、６４ＱＡＭ、２５６ＱＡＭ等の予め定められた、または無線リソース制御部１０１１が決定した変調方式で変調する。
【００８９】
下りリンク参照信号生成部１０３３は、基地局装置１Ａを識別するための物理セル識別子（PCI、セルID）などを基に予め定められた規則で求まる、端末装置２が既知の系列を下りリンク参照信号として生成する。
【００９０】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。
【００９１】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル信号を生成し、ベースバンドのディジタル信号をアナログ信号に変換し、フィルタリングにより余分な周波数成分を除去し、搬送周波数にアップコンバートし、電力増幅し、送受信アンテナ１０５に出力して送信する。
【００９２】
受信部１０４は、制御部１０２から入力された制御信号に従って、送受信アンテナ１０５を介して端末装置２から受信した受信信号を分離、復調、復号し、復号した情報を上位層処理部１０１に出力する。
【００９３】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９４】
無線受信部１０４１は、変換したディジタル信号からＣＰに相当する部分を除去する。無線受信部１０４１は、ＣＰを除去した信号に対して高速フーリエ変換（Fast Fourier Transform: FFT）を行ない、周波数領域の信号を抽出し多重分離部１０４２に出力する。
【００９５】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９６】
また、多重分離部１０４２は、ＰＵＣＣＨとＰＵＳＣＨの伝搬路の補償を行なう。また、多重分離部１０４２は、上りリンク参照信号を分離する。
【００９７】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００９８】
復号部１０４４は、復調されたＰＵＣＣＨとＰＵＳＣＨの符号化ビットを、予め定められた符号化方式の、予め定められた、または自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９９】
図３は、本実施形態における端末装置２の構成を示す概略ブロック図である。図３に示すように、端末装置２は、上位層処理部２０１、制御部２０２、送信部２０３、受信部２０４、チャネル状態情報生成部２０５と送受信アンテナ２０６を含んで構成される。また、上位層処理部２０１は、無線リソース制御部２０１１、スケジューリング情報解釈部２０１２を含んで構成される。また、送信部２０３は、符号化部２０３１、変調部２０３２、上りリンク参照信号生成部２０３３、多重部２０３４、無線送信部２０３５を含んで構成される。また、受信部２０４は、無線受信部２０４１、多重分離部２０４２、信号検出部２０４３を含んで構成される。
【０１００】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【０１０１】
無線リソース制御部２０１１は、自端末装置の各種設定情報の管理をする。また、無線リソース制御部２０１１は、上りリンクの各チャネルに配置される情報を生成し、送信部２０３に出力する。
【０１０２】
無線リソース制御部２０１１は、基地局装置から送信されたＣＳＩフィードバックに関する設定情報を取得し、制御部２０２に出力する。
【０１０３】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０４】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０５】
制御部２０２は、チャネル状態情報生成部２０５が生成したＣＳＩを基地局装置に送信するように送信部２０３を制御する。
【０１０６】
受信部２０４は、制御部２０２から入力された制御信号に従って、送受信アンテナ２０６を介して基地局装置１Ａから受信した受信信号を、分離、復調、復号し、復号した情報を上位層処理部２０１に出力する。受信部２０４は、受信信号に含まれる、基地局装置１Ａに対応する参照信号（第１の参照信号とも呼ぶ）と、基地局装置１Ａから設定された干渉情報に基づく参照信号（第２の参照信号とも呼ぶ）を受信し、チャネル状態情報生成部２０５に出力する。
【０１０７】
無線受信部２０４１は、送受信アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０８】
また、無線受信部２０４１は、変換したディジタル信号からＣＰに相当する部分を除去し、ＣＰを除去した信号に対して高速フーリエ変換を行ない、周波数領域の信号を抽出する。
【０１０９】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１０】
信号検出部２０４３は、ＰＤＳＣＨ、チャネル推定値を用いて、信号検出し、上位層処理部２０１に出力する。上位層で、ＮＡＩＣＳが設定されている場合、干渉信号の除去または抑圧を行なって、信号検出する。干渉信号の除去または抑圧としては、例えば、干渉信号のチャネル推定値を考慮する線形検出や、干渉信号のチャネル推定値や変調方式を考慮する干渉キャンセルまたは最尤検出を行なう。
【０１１１】
信号検出部２０４３は、上位層でＮＡＩＣＳアシスト情報およびＣＲＳアシスト情報が設定されている場合、ＮＡＩＣＳアシスト情報およびＮＡＩＣＳアシスト情報に含まれるセルＩＤと関連付けられたＣＲＳアシスト情報に基づいて、干渉チャネルの推定および／または干渉信号の復調に必要なパラメータを検出する。ＮＡＩＣＳアシスト情報で複数の値が設定されているパラメータについては、複数の値を候補とし、干渉信号に設定されている値をブラインド検出する。また、ＮＡＩＣＳアシスト情報およびＣＲＳアシスト情報で設定されていないパラメータは、システムで設定される可能性のある値を候補とし、干渉信号に設定されている値をブラインド検出する。信号検出部２０４３は、検出したパラメータを用いてＰＤＳＣＨの干渉除去または抑圧をすることができる。また、ＣＲＳアシスト情報に基づいて、ＣＲＳの干渉除去をすることができる。
【０１１２】
信号検出部２０４３は、上位層でＮＡＩＣＳアシスト情報が設定され、ＣＲＳアシスト情報が設定されていない場合、ＮＡＩＣＳアシスト情報に基づいて、干渉信号のチャネル推定および／または干渉信号の復調に必要なパラメータを検出する。ＮＡＩＣＳアシスト情報で複数の値が設定されているパラメータについては、複数の値を候補とし、干渉信号に設定されている値をブラインド検出する。ＮＡＩＣＳアシスト情報で設定されていないパラメータは、ブラインド検出する。また、ＣＲＳアシスト情報が設定されていない場合であっても、ＮＡＩＣＳアシスト情報に含まれているＣＲＳに関する情報に基づいて、ＣＲＳ干渉を除去する。
【０１１３】
信号検出部２０４３は、上位層でＣＲＳアシスト情報が設定され、ＮＡＩＣＳアシスト情報が設定されていない場合、ＰＤＳＣＨの干渉除去または抑圧は行なわず、ＣＲＳアシスト情報に基づいて、ＣＲＳ干渉を除去する。
【０１１４】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、送受信アンテナ２０６を介して基地局装置１Ａに送信する。
【０１１５】
符号化部２０３１は、上位層処理部２０１から入力された上りリンク制御情報を畳み込み符号化、ブロック符号化等の符号化を行なう。また、符号化部２０３１は、ＰＵＳＣＨのスケジューリングに用いられる情報に基づきターボ符号化を行なう。
【０１１６】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１７】
上りリンク参照信号生成部２０３３は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【０１１８】
多重部２０３４は、制御部２０２から入力された制御信号に従って、ＰＵＳＣＨの変調シンボルを並列に並び替えてから離散フーリエ変換（Discrete Fourier Transform: DFT）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。
【０１１９】
無線送信部２０３５は、多重された信号を逆高速フーリエ変換（Inverse Fast Fourier Transform: IFFT）して、ＳＣ−ＦＤＭＡ方式の変調を行ない、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１２０】
なお、本発明に係る基地局装置および端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ROM、不揮発性メモリカード等）、光記録媒体（例えば、DVD、MO、MD、CD、BD等）、磁気記録媒体（例えば、磁気テープ、フレキシブルディスク等）等のいずれであっても良い。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１２１】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれる。また、上述した実施形態における端末装置および基地局装置の一部、または全部を典型的には集積回路であるＬＳＩとして実現しても良い。受信装置の各機能ブロックは個別にチップ化しても良いし、一部、または全部を集積してチップ化しても良い。各機能ブロックを集積回路化した場合に、それらを制御する集積回路制御部が付加される。
【０１２２】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２３】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１２４】
以上、この発明の実施形態を、図面を参照して詳述してきたが、具体的な構成はこの実施形態に限られるものではなく、この発明の要旨を逸脱しない範囲の設計等も請求の範囲に含まれる。
【産業上の利用可能性】
【０１２５】
本発明は、端末装置および集積回路に用いて好適である。【０１２６】
なお、本国際出願は、２０１４年６月１０日に出願した日本国特許出願第２０１４−１１９１６７号に基づく優先権を主張するものであり、日本国特許出願第２０１４−１１９１６７号の全内容を本国際出願に援用する。
【符号の説明】
【０１２７】
１Ａ、１Ｂ  基地局装置
２Ａ、２Ｂ、２Ｃ  端末装置
１０１  上位層処理部
１０２  制御部
１０３  送信部
１０４  受信部
１０５  送受信アンテナ
１０１１  無線リソース制御部
１０１２  スケジューリング部
１０３１  符号化部
１０３２  変調部
１０３３  下りリンク参照信号生成部
１０３４  多重部
１０３５  無線送信部
１０４１  無線受信部
１０４２  多重分離部
１０４３  復調部
１０４４  復号部
２０１  上位層処理部
２０２  制御部
２０３  送信部
２０４  受信部
２０５  チャネル状態情報生成部
２０６  送受信アンテナ
２０１１  無線リソース制御部
２０１２  スケジューリング情報解釈部
２０３１  符号化部
２０３２  変調部
２０３３  上りリンク参照信号生成部
２０３４  多重部
２０３５  無線送信部
２０４１  無線受信部
２０４２  多重分離部
２０４３  信号検出部
【図１】
0006540969.tif 000002
【図２】
0006540969.tif 000003
【図３】
0006540969.tif 000004